(57)【特許請求の範囲】
【請求項１】
食器類を収容する洗浄槽と、前記洗浄槽を前後方向に移動可能に支持するレールと、前記洗浄槽に連結し洗浄水を循環する循環経路と、前記洗浄槽と前記循環経路のうち少なくとも一方からの水漏れを回収する水溜部とを備え、前記水溜部は、底面が前方に向かって下方に傾斜し、かつ前面または前方下面に水抜き穴を有し、前記水抜き穴近傍に水漏れを検知する溢水検知スイッチを有する食器洗い機。
【請求項２】
前記洗浄槽内へ給水する給水用配管を給水管に接続する給水用配管接続部と、前記洗浄槽内の水を排水する排水用配管を排水管に接続する排水用配管接続部と、前記水溜部の上方に設けた空間部とを備え、前記給水用配管接続部と排水用配管接続部のうち少なくとも一方を前記空間部に設けた請求項１に記載の食器洗い機。
【発明の詳細な説明】
【０００１】
【発明の属する技術分野】
本発明は、洗浄槽に給水した洗浄水を循環、噴射して食器類を洗浄する食器洗い機に関する。
【０００２】
【従来の技術】
近年、洗浄槽に給水した洗浄水を循環、噴射して食器類を洗浄する食器洗い機が主流となっている。
【０００３】
従来、この種の食器洗い機は図５に示すように構成していた。以下、その構成について説明する。
【０００４】
図５に示すように、外箱１は前方に開口部を有するとともに、レール２を介して、上方が開口した洗浄槽３を前後方向に移動可能に支持している。洗浄槽３内には食器類４を収容する食器かご５を配置するとともに、洗浄水を噴射する洗浄ノズル６を回転自在に設け、洗浄ノズル６は循環経路７を介してポンプ８と連結している。
【０００５】
また、洗浄槽３には洗浄槽３内へ給水する給水用配管９と洗浄槽３内の水を機外へ排水する排水用配管１０とを設けており、施工時にキッチン１１側に事前に屋内配管された給水管１２および排水管１３にそれぞれ接続している。
【０００６】
また、外箱１の底部には、底面を食器洗い機本体に対し水平とした水溜部１４および溢水検知スイッチ１５を設けており、洗浄槽３や循環経路７より水漏れを起こした場合に漏れた水を検知し、運転を停止することで水漏れによるキッチン１１への被害を防止している。水漏れ検知後は修理時に、水溜部１４の下面に配し、通常はキャップ１６にて閉塞された水抜き穴１７より漏れた水を抜き、処理される。
【０００７】
また、図５に示す食器洗い機本体は、キッチン１１に設置したキャビネット１８上に設置しており、キャビネット１８に収納スペースを設けるための引き出し１９を設けているが、図６に示すように、食器洗い機の設置場所によってはキャビネット１８を設けずにキッチン１１に設置する場合もある。
【０００８】
【発明が解決しようとする課題】
このような従来の食器洗い機においては、食器洗い機本体を支持しているキャビネット１８またはキッチン１１を設置している床面が水平でない状態で食器洗い機本体を設置した場合、食器洗い機本体ならびに水溜部１４が傾いた状態で設置される。この状態で洗浄槽３や循環経路７より水漏れが起こり修理されると、水抜き穴１７が水溜部１４の最下面ではなくなるため、水抜き穴１７より水を抜いても完全に水溜部１４に溜まった水を抜くことができず、残水による錆やかび等の発生の恐れがある。
【０００９】
本発明は上記課題を解決するもので、食器洗い機本体ならびに水溜部が傾いた状態で設置されても、洗浄槽や循環経路より水漏れが起こった際に、水溜部に溜まった水を確実に抜き取り、残水による錆やかび等の発生を防止することを第１の目的としている。
【００１０】
【課題を解決するための手段】
本発明は上記第１の目的を達成するために、レールによって前後方向に移動可能に支持されて食器類を収容する洗浄槽に洗浄水を循環する循環経路を連結し、洗浄槽と循環経路のうち少なくとも一方からの水漏れを水溜部で回収するよう構成し、水溜部は底面が前方に向かって下方に傾斜し、かつ前面または前方下面に水抜き穴を有し、前記水抜き穴近傍に水漏れを検知する溢水検知スイッチを有するものである。
【００１１】
これにより、食器洗い機本体ならびに水溜部が傾いた状態で設置されていても、洗浄槽や循環経路より水漏れが起こった際に、水溜部に溜まった水を確実に抜き取ることができ、残水による錆やかび等の発生を防止することができる。
【００１２】
【発明の実施の形態】
本発明の請求項１に記載の発明は、食器類を収容する洗浄槽と、前記洗浄槽を前後方向に移動可能に支持するレールと、前記洗浄槽に連結し洗浄水を循環する循環経路と、前記洗浄槽と前記循環経路のうち少なくとも一方からの水漏れを回収する水溜部とを備え、前記水溜部は、底面が前方に向かって下方に傾斜し、かつ前面または前方下面に水抜き穴を有し、前記水抜き穴近傍に水漏れを検知する溢水検知スイッチを有するものであり、食器洗い機本体および水溜部が傾いた状態で設置されていても、洗浄槽や循環経路より水漏れが起こった際に、水溜部に溜まった水を確実に抜き取ることができ、残水による錆やかび等の発生を防止することができる。
【００１３】
請求項２に記載の発明は、上記請求項１に記載の発明において、洗浄槽内へ給水する給水用配管を給水管に接続する給水用配管接続部と、前記洗浄槽内の水を排水する排水用配管を排水管に接続する排水用配管接続部と、水溜部の上方に設けた空間部とを備え、前記給水用配管接続部と排水用配管接続部のうち少なくとも一方を前記空間部に設けたものであり、洗浄槽や循環経路からの水漏れだけでなく、給水用配管接続部および排水用配管接続部で水漏れが起こった場合でも、水溜部に漏れた水を回収することができ、水漏れによるキッチンへの被害を防止することができるとともに、水溜部の水を容易かつ確実に抜き取ることができ、残水による錆やかび等の発生を防止することができる。
【００１４】
【実施例】
以下、本発明の実施例について、図面を参照しながら説明する。なお、従来例と同じ構成のものは同一符号を付して説明を省略する。
【００１５】
（実施例１）
図１に示すように、外箱２０は、下方に底面が前方に向かって下方に傾斜した水溜部２１を設けており、水溜部２１の上方に開口部を有し、水溜部２１の前面には水抜き穴２２を配している。また、通常は水抜き穴２２はキャップ２３にて閉塞されている。他の構成は従来例と同じである。
【００１６】
上記構成において作用を説明すると、水溜部２１の底面を水抜き穴２２を配した前方に向かって下方に傾斜させることで、食器洗い機本体をキッチン１１に設置した際、キャビネット１８またはキッチン１１を設置している床面が傾斜しているために食器洗い機本体が傾斜していても、水溜部２１の前方を常に最下面とすることができるため、洗浄槽３や循環経路７から水が漏れ、水溜部２１に水が溜まっても、修理時に水溜部２１に溜まった水を最後まで確実に抜き取ることができ、残水による錆やかび等の発生を防止することができる。
【００１７】
なお、本実施例では、水溜部２１の前面に水抜き穴２２を配しているが、水抜き穴２２は水溜部２１の前方下面に配しても効果は同等である。
【００１８】
（実施例２）
図２に示すように、外箱２４は前方下部に開口部を有するとともに、上方に開口部を有する水溜部２５を前後方向へ移動可能に支持しており、水溜部２５は前方へ引き出し後、外箱２４より取り外し可能に構成している。他の構成は上記実施例１と同じである。
【００１９】
なお、図２に示す食器洗い機本体は、キッチン１１に設置したキャビネット１８上に設置しており、キャビネット１８に収納スペースを設けるための引き出し１９を設けているが、図３に示すように、食器洗い機の設置場所によってはキャビネット１８を設けずにキッチン１１に設置する場合もある。
【００２０】
上記構成において作用を説明すると、水溜部２５を前後方向に移動可能とすることで、食器洗い機本体の下部にキャビネット１８を設けずにキッチン１１に設置した場合でも、水溜部２５と床面との距離に影響されることなく、水溜部２５を引き出し、洗浄槽３や循環経路７から漏れて水溜部２５に溜まった水を容易に、かつ確実に抜き取ることができ、残水による錆やかび等の発生を防止することができる。
【００２１】
また、水溜部２５は前方へ引き出し後、外箱２２より取り外し可能なため、受け皿等による水抜き作業を必要とせずに、容易かつ確実に漏れた水を除去することができる。
【００２２】
（実施例３）
図４に示すように、外箱２６は前方下部に前方開口部２７を有するとともに、上方に開口部を有する水溜部２８を前後方向へ移動可能に支持しており、水溜部２８は前方へ引き出し後、外箱２６より取り外し可能に構成している。また、外箱２６は水溜部２８の上方に空間部２９と後方に後方開口部３０を有しており、洗浄槽３内へ給水する給水用配管３１および洗浄槽３内の水を機外へ排水する排水用配管３２を空間部２９まで導いている。
【００２３】
施工時に食器洗い機本体をキッチン１１側へ挿入する際、キッチン１１側に事前に配管された給水管３３および排水管３４は、後方開口部３０より空間部２９へ引き込まれ、給水用配管３１および排水用配管３２とそれぞれ接続される。接続作業は前方開口部２７よりおこなわれ、給水用配管接続部３１ａおよび排水用配管接続部３２ａの位置にて接続している。
【００２４】
上記構成において作用を説明すると、給水用配管３１と給水管３３ならびに排水用配管３２と排水管３４とを、水溜部２８の上方に設けた空間部２９に位置する給水用配管接続部３１ａと排水用配管接続部３２ａにてそれぞれ接続するため、給水用配管接続部３１ａおよび排水用配管接続部３２ａでの水漏れは水溜部２８に回収できる。
【００２５】
また、洗浄槽３や循環経路７からの水漏れも水溜部２８に回収できるため、水漏れによるキッチン１１への被害を防止することができるとともに、水溜部２８の水を容易かつ確実に抜き取ることができ、残水による錆やかび等の発生を防止することができる。
【００２６】
【発明の効果】
以上のように本発明の請求項１に記載の発明によれば、食器洗い機本体および水溜部が傾いた状態で設置されていても、洗浄槽や循環経路より水漏れが起こった際に、水溜部に溜まった水を確実に抜き取ることができ、残水による錆やかび等の発生を防止することができる。
【図面の簡単な説明】
【図１】  本発明の第１の実施例の食器洗い機の縦断面図
【図２】  本発明の第２の実施例の食器洗い機の縦断面図
【図３】  同食器洗い機の他の例の縦断面図
【図４】  本発明実施例３の食器洗い機の縦断面図
【図５】  従来の食器洗い機の縦断面図
【図６】  従来の食器洗い機の他の例の縦断面図
【符号の説明】
３  洗浄槽
４  食器類
７  循環経路
２１  水溜部
２２  水抜き穴
【図１】
0004529314.tif 000002
【図２】
0004529314.tif 000003
【図３】
0004529314.tif 000004
【図４】
0004529314.tif 000005
【図５】
0004529314.tif 000006
【図６】
0004529314.tif 000007